【事件の表示】
　特願２００６−２６０４９３「年表を表示するための方法、情報処理装置およびプログラム」拒絶査定不服審判事件〔平成２０年　４月１０日出願公開、特開２００８−　８３７８７〕について、次のとおり審決する。
【結　論】
　本件審判の請求は、成り立たない。
【理　由】
　 
第１　手続の経緯  
　本願は、平成１８年９月２６日の出願であって、平成２３年７月２７日付けの拒絶理由通知に対して同年９月２２日付けで手続補正がなされたが、平成２４年２月２０日付けで拒絶査定がなされ、これに対し、同年５月１５日付けで拒絶査定不服審判が請求されるとともに手続補正がなされ、その後、平成２５年２月１４日付けの審尋に対し、同年３月２１日付けで回答書が提出されたものである。  
　  
　  
第２　平成２４年５月１５日付けの手続補正についての補正却下の決定  
　
［補正却下の決定の結論］  
　平成２４年５月１５日付けの手続補正（以下「本件補正」という。）を却下する。  
　  
［理由］  
１　本件補正  
　本件補正は、特許請求の範囲について、本件補正前に、  
「【請求項１】
　時間軸上に位置づけられる各期間に係る事項を年表として表示する方法であって、
　前記年表の第１の期間の部分を表示画面の所定領域内に表示するとき、前記第１の期間に対して設定されている第１の音楽を付随情報として再生出力する方法。」
とあったところを、  
　
「【請求項１】
　時間軸上に位置づけられる各期間に係る事項を年表として表示する方法であって、
　前記年表は、相異なる種類の事項を表示する第１および第２の年表を含み、
　前記第１および前記第２の年表の第１の期間の部分を表示画面の所定領域内に表示するとき、前記第１の期間に対して設定されている第１の音楽を付随情報として再生出力する方法。」
　と補正することを含むものである。  
　  
　上記補正は、補正前の請求項１に記載した発明を特定する事項である「年表」について、「前記年表は、相異なる種類の事項を表示する第１および第２の年表を含み、」と限定するとともに、「前記年表の第１の期間」について、「前記第１および前記第２の年表の第１の期間」と限定するものである。　 
　  
　よって、本件補正は、補正前の請求項に記載された発明を特定するために必要な事項を限定するものであるから、平成１８年法律第５５号改正附則第３条第１項によりなお従前の例によるとされる同法による改正前の特許法（以下「平成１８年改正前の特許法」という。）第１７条の２第４項第２号に掲げる特許請求の範囲の減縮を目的とするものに該当する。  
　 
　そこで、本件補正後における特許請求の範囲に記載されている事項により特定される請求項１に係る発明（以下「本願補正発明」という。）が特許出願の際独立して特許を受けることができるものであるか（平成１８年改正前の特許法第１７条の２第５項において準用する同法第１２６条第５項に規定する要件を満たすか）について以下に検討する。  
　
２　引用例、周知例及びその記載事項  
　
（１）原査定の拒絶の理由に引用され、本願の出願の日前に頒布された刊行物である特開２００５−３４０９９９号公報（平成１７年１２月８日公開、以下「引用例」という。）には、図面とともに以下の事項が記載されている（なお、下線は当審で付した。）。　  
　  
ａ「【請求項８】
　撮影年月を表す撮影日情報が付与された
複数の画像を、所定の表示領域に時系列順に一覧表示する画像表示方法において、
  
前記所定の表示領域に表示される画像に付与された撮影日情報により表される撮影年月と関連づけられたＢＧＭを
再生する
画像表示方法。
　
ｂ「【技術分野】
【０００１】
　
本発明は、例えばサムネイル画像のような画像を時系列順にソートして一覧表示する
方法
に関するものである。
　
ｃ「【００２４】
　本発明の第２の画像表示装置および方法によれば、
所定の表示領域に表示される画像に付与された撮影日情報により表される撮影年月と関連づけられたＢＧＭが複数のＢＧＭから選択され、選択されたＢＧＭが再生される。
　
ｄ「【００３０】
　なお、ハードディスク５には、ユーザがデジタルカメラ等により取得した画像データが保存されている。また、
ハードディスク５には、
サムネイル画像の一覧を表示した際に再生するＢＧＭを表す複数のＢＧＭデータが保存されている。
【００３１】
　図２は撮影年月と背景画像データおよびＢＧＭデータのファイル名との関係を記述したテーブルを示す図である。図２に示すように、テーブルＴ０においては１９９８年１月、２月…の撮影年月と背景画像データおよびＢＧＭデータのファイル名とが対応付けられている。　
【００３２】
　ここで、背景画像データは、ハードディスク５のＣドライブにおけるＢＧＩフォルダに保存されており、年月に応じて1998_01.jpg，1998_02.jpg…2004_01.jpg…の年月に対応するファイル名が付与され、年月に関連づけられた画像を表すものとなっている。例えば、１月は正月の雰囲気を、２月は寒い雰囲気を表す背景画像となっている。また、２００４年８月はオリンピックの雰囲気を表す背景画像となっている。
【００３３】
　
また、ＢＧＭデータは、ハードディスク５
に保存されており、年月に応じて1998_01.wav，1998_02.wav…2004_01.wav…のファイル名が付与され、年月に関連づけられたＢＧＭを表すものとなっている。
【００３４】
  そして、ＣＰＵ７はビューアプログラムを起動することにより、後述するように画像データのサムネイル画像の一覧を表示する際に、一覧に含められる画像データに付与された撮影日情報を参照し、撮影日情報により表される撮影年月と関連づけられた背景画像を一覧の背景に表示する。また、撮影日情報により表される撮影年月と関連づけられたＢＧＭを再生する。」
　
ｅ「【００４３】
　
図５はサムネイル画像一覧表示フィールド２１Ｂの背景に背景画像が表示された操作画面を示す図である。なお、ここではサムネイル画像一覧表示フィールド２１Ｂに表示されているすべてのサムネイル画像に対応する画像データの撮影年月が例えば２００４年１月であるものとする。図５に示すように、サムネイル画像一覧表示フィールド２１Ｂの背景には、１月の季節感を表す雪だるまの画像が表示されている。また、ＢＧＭとしては１月の季節感を表す「雪やこんこ」が再生される。
サムネイル画像一覧表示フィールド２１Ｂに表示しきれないサムネイル画像を表示するためのスクロールバー２１Ｃも表示される。ユーザはスクロールバー２１Ｃを操作することにより、すべてのサムネイル画像をサムネイル画像一覧表示フィールド２１Ｂに表示することができる。
　
「【００４９】
　
ここで、１コマ目および最終コマのサムネイル画像に対応する画像データの撮影年月がそれぞれ１月および２月である場合、
ＢＧＭとしては１月の季節感を表すＢＧＭと２月の季節感を表すＢＧＭとが上記ａ：ｂの割合で混ざった音楽が再生される。
【００５０】
　この状態において、
ユーザがスクロールバー２１Ｃを操作し、サムネイル画像一覧表示フィールド２１Ｂに表示されたすべてのサムネイル画像に対応する画像データの撮影年月が２００４年２月になったとすると、サムネイル画像一覧表示フィールド２１Ｂの背景には２月の季節感を表す節分の画像のみが表示される。
【００５１】
　このように第１の実施形態においては、サムネイル画像一覧表示フィールド２１Ｂに表示されるサムネイル画像に対応する画像データの撮影年月と関連づけられた背景画像を、サムネイル画像一覧表示フィールド２１Ｂの背景に表示し、さらには
撮影年月と関連づけられたＢＧＭを再生するようにしたため、ユーザは
ＢＧＭを設定する作業を行わなくても、撮影日に応じた
季節感のあるＢＧＭを再生できる。
　
ア　上記ａの「【請求項８】‥‥‥複数の画像を、所定の表示領域に時系列順に一覧表示する画像表示方法において、前記所定の表示領域に表示される画像に付与された撮影日情報により表される撮影年月と関連づけられたＢＧＭを‥‥‥再生する画像表示方法。」との記載において、上記ｂの「【技術分野】【０００１】本発明は、例えばサムネイル画像のような画像を時系列順にソートして一覧表示する‥‥‥方法‥‥‥に関するものである。」との記載から、一覧表示する画像は、例えばサムネイル画像のような画像であるから、引用例には、「複数の、例えばサムネイル画像のような画像を、所定の表示領域に時系列順に一覧表示する画像表示方法において、前記所定の表示領域に表示される画像に付与された撮影日情報により表される撮影年月と関連づけられたＢＧＭを再生する画像表示方法」が記載されているということができる。
　
イ　上記のｄの「【００３０】‥‥‥ハードディスク５には、‥‥‥サムネイル画像の一覧を表示した際に再生するＢＧＭを表す複数のＢＧＭデータが保存されている。‥‥‥【００３３】また、ＢＧＭデータは、ハードディスク５‥‥‥に保存されており、年月に応じて1998_01.wav，1998_02.wav…2004_01.wav…のファイル名が付与され、年月に関連づけられたＢＧＭを表すものとなっている。」との記載から、ハードディスク５には、年月に関連づけられたファイル名が付与されたＢＧＭデータが保存されているということができるから、引用例には、「サムネイル画像の一覧を表示した際に再生する複数のＢＧＭデータが年月に関連づけられて保存されている」ことが記載されているということができる。
　
ウ　上記ｅの「【００４３】図５はサムネイル画像一覧表示フィールド２１Ｂの背景に背景画像が表示された操作画面を示す図である。なお、ここではサムネイル画像一覧表示フィールド２１Ｂに表示されているすべてのサムネイル画像に対応する画像データの撮影年月が例えば２００４年１月であるものとする。‥‥‥また、ＢＧＭとしては１月の季節感を表す「雪やこんこ」が再生される。‥‥‥」との記載において、上記ｃの「【００２４】‥‥‥所定の表示領域に表示される画像に付与された撮影日情報により表される撮影年月と関連づけられたＢＧＭが複数のＢＧＭから選択され、選択されたＢＧＭが再生される。‥‥‥」との記載から、ＢＧＭは、所定の表示領域に表示される画像に付与された撮影日情報により表される撮影年月と関連づけられたＢＧＭであり、また、サムネイル画像一覧表示フィールド２１Ｂは、所定の表示領域であるといえるから、引用例には、「所定の表示領域に表示されているすべてのサムネイル画像に対応する画像データの撮影年月が例えば２００４年１月であるものとすると、２００４年１月に関連付けられたＢＧＭが選択されて再生される」ことが記載されているということができる。
　
エ　上記ｆの「【００５０】‥‥‥ユーザがスクロールバー２１Ｃを操作し、サムネイル画像一覧表示フィールド２１Ｂに表示されたすべてのサムネイル画像に対応する画像データの撮影年月が２００４年２月になったとする‥‥‥【００５１】‥‥‥撮影年月と関連づけられたＢＧＭを再生するようにしたため、ユーザは‥‥‥ＢＧＭを設定する作業を行わなくても、撮影日に応じた‥‥‥季節感のあるＢＧＭを再生できる。‥‥‥」との記載から、画像データの撮影年月が２００４年２月になった場合には、２００４年２月に関連づけられたＢＧＭが選択されて再生されるということができるから、引用例には、「ユーザがスクロールバーを操作し、所定の表示領域に表示されたすべてのサムネイル画像に対応する画像データの撮影年月が２００４年２月になったとすると、２００４年２月に関連付けられたＢＧＭが選択されて再生される」ことが記載されているということができる。
　
　
　したがって、上記引用例に記載された事項、図面の記載、及び上記アないしエを総合すると、引用例には、次の事項が記載されている（以下、引用発明という。）。 
　 
「複数の、例えばサムネイル画像のような画像を、所定の表示領域に時系列順に一覧表示する画像表示方法において、前記所定の表示領域に表示される画像に付与された撮影日情報により表される撮影年月と関連づけられたＢＧＭを再生する画像表示方法であって、
　サムネイル画像の一覧を表示した際に再生する複数のＢＧＭデータが年月に関連づけられて保存され、
　所定の表示領域に表示されているすべてのサムネイル画像に対応する画像データの撮影年月が例えば２００４年１月であるものとすると、２００４年１月に関連付けられたＢＧＭが選択されて再生され、
　ユーザがスクロールバーを操作し、所定の表示領域に表示されたすべてのサムネイル画像に対応する画像データの撮影年月が２００４年２月になったとすると、２００４年２月に関連付けられたＢＧＭが選択されて再生される、
画像表示方法。」 
　
（２）原査定の備考において周知例として引用され、本願の出願の日前に頒布された刊行物である特開２００６−１４６７５５号公報（平成１８年６月８日公開、以下「周知例１」という。）には、図面とともに以下の事項が記載されている（なお、下線は当審で付した。）。
　
「【技術分野】
【０００１】
  本発明は、
複数の画像を画面に表示する技術
　
「【００７２】
  図１５は年表表示処理（ステップＳ３５０）の内容及び手順を
年表表示処理ルーチン
が起動されると、
年表フォーマットＹＵを読み出す処理を行なう
年表フォーマットＹＵは、図１６，図２１，図２６に例示したように、年表軸を表わす線図や文字列
を貼り付け可能なフォーマットである。
「【００７６】
  次に、制御回路１２Ｄは、上記の埋め込み後の年表フォーマットＹＵをブラウザを用いて液晶ディスプレイ１２Ｇに表示する処理を行なう（ステップＳ７５０）。この表示例を図１６に示した。
図１６（Ａ）は、
液晶ディスプレイ１２Ｇに表示される年表フォーマットＹＵを表わしている。この例では、
サムネイル画像
が、年表軸上における最も古い時期を表わす位置に表示され、この位置から年表軸の進行方向に沿って、４つのサムネイル画像
）が、画像取得時期の近接度合いに応じた間隔で表示される。
「【００７８】
  
図１６（Ｂ）は、図１６（Ａ）に示した年表フォーマットＹＵ上で画面を右方向に
スクロールする指示がなされた場合に、
液晶ディスプレイ１２Ｇに表示される年表フォーマットＹＵを表わしている。この例では、それまでに年表軸上における最も新しい時期を表わす位置に表示されていたサムネイル画像
が、年表軸上における最も古い時期を表わす位置に移動して表示され、この位置から年表軸の進行方向に沿って、４つのサムネイル画像
が、画像取得時期の近接度合いに応じた間隔で表示される。
【００７９】
  一方、ステップＳ７６０の処理において画面のスクロール指示がなされていないと判断した場合には、制御回路１２Ｄは、年表フォーマットＹＵを用いた表示についての終了指示がなされたか否かを判断し（ステップＳ７８０）、終了指示がなされたと判断した場合に、液晶ディスプレイ１２Ｇ上の表示を背景フォーマットを用いた表示に戻して（ステップＳ７９０）、本ルーチンを終了する。」
　
　上記記載及び図１６、図２１から、周知例１には、次の事項が記載されているということができる。
　
「複数のサムネイル画像を、年表軸上に最も古い時期から年表軸の進行方向に沿って、画像取得時期の近接度合いに応じた間隔で表示する技術。」
　
（３）平成２５年２月１４日付けの審尋において援用した平成２４年７月２０日付けの前置報告書で引用され、本願の出願の日前に頒布された刊行物である特開２００６−１９０１１７号公報（平成１８年７月２０日公開、以下「周知例２」という。）には、図面とともに以下の事項が記載されている（なお、下線は当審で付した。）。
　
「【００４１】（前略）
図１０は、
個人史と社史の
例である。
　
　図１０には、時間軸を挟んで個人史と社史を設けることが記載されている。
　
　上記記載から、周知例２には、次の事項が記載されているということができる。
　
　「個人史と社史を、時間軸を挟んで設けること。」
　
　
（４）平成２５年２月１４日付けの審尋において援用した平成２４年７月２０日付けの前置報告書で引用され、本願の出願の日前に頒布された刊行物である特開２００２−３７３２３３号公報（平成１４年１２月２６日公開、以下「周知例３」という。）には、図面第４４図とともに以下の事項が記載されている（なお、下線は当審で付した。）。
　
「【０１９５】図４４は、巻物状になった印刷物６１０を示す。印刷物は、図４２を用いて説明した編集画面のとおりに印刷される。印刷面の
上段に、子供の成長が時系列的に印刷される第１の印刷領域１０５０があり、下段に、その頃あった社会的な出来事が時系列的に印刷される第２の印刷領域１０５２がある。また、第１の印刷領域１０５０と第２の印刷領域１０５２とを分けるように、時間軸を示す画像が印刷される時間軸印刷領域１０５４がある。
　
　上記記載から、周知例３には、次の事項が記載されているということができる。　
　
　「子供の成長と社会的な出来事を、時間軸を挟んで設けること。」
　
　
３　対比  
　  
　本願補正発明と引用発明とを対比する。  
　  
（１）引用発明は「複数の、例えばサムネイル画像のような画像を、所定の表示領域に時系列順に一覧表示する画像表示方法」であり、また、「所定の表示領域に表示されているすべてのサムネイル画像に対応する画像データの撮影年月が例えば２００４年１月」である場合において、「ユーザがスクロールバーを操作し、所定の表示領域に表示されたすべてのサムネイル画像に対応する画像データの撮影年月が２００４年２月」になるものであるから、２００４年１月及び２００４年２月の各期間に係るサムネイル画像は時系列順に表示されているということができる。そして、本願補正発明の年表も時系列順に表示されることは明らかであるので、本願補正発明と引用発明とは、「各期間に係る事項を時系列順に表示する方法」である点で共通する。
　
（２）引用発明は「所定の表示領域に表示されているすべてのサムネイル画像に対応する画像データの撮影年月が例えば２００４年１月であるものとすると、２００４年１月に関連付けられたＢＧＭが選択されて再生され、ユーザがスクロールバーを操作し、所定の表示領域に表示されたすべてのサムネイル画像に対応する画像データの撮影年月が２００４年２月になったとすると、２００４年２月に関連付けられたＢＧＭが選択されて再生される、画像表示方法」であって、所定の表示領域に表示される画像データの撮影年月に対応して、当該年月に関連付けられたＢＧＭが選択されて再生されることから、２００４年１月、２００４年２月は、本願補正発明の「第１の期間」に相当するといえ、引用発明は、「第１の期間の画像データを、サムネイル画像一覧表示フィールドに表示すると、第１の期間に対応するＢＧＭを再生出力する方法」と捉えることができる。
　ここで、引用発明の「ＢＧＭ」は、画像データに付随する情報であるといえ、また、「ＢＧＭ」は「サムネイル画像の一覧を表示した際に再生する複数のＢＧＭデータが年月に関連づけられて保存され」ており、２００４年１月、２００４年２月に「関連付けられたＢＧＭが選択されて再生される」ものであるから、ＢＧＭは年月に対して設定されているものということができるので、引用発明は、「第１の期間の画像データを、サムネイル画像一覧表示フィールドに表示すると、第１の期間に対応して設定されているＢＧＭを付随情報として再生出力する方法」と捉えることができる。
　したがって、本願補正発明と引用発明とは、「前記第１の第１の期間の部分を表示画面の所定領域内に表示するとき、前記第１の期間に対して設定されている第１の音楽を付随情報として再生出力する方法。」である点で共通する。
　
　すると、本願補正発明と引用発明とは、次の＜一致点＞及び＜相違点＞を有する。  
　
＜一致点＞  
　
「各期間に係る事項を時系列順に表示する方法であって、
　第１の期間の部分を表示画面の所定領域内に表示するとき、前記第１の期間に対して設定されている第１の音楽を付随情報として再生出力する方法。」  　
  
　
＜相違点＞  
　
（ア）各期間に係る事項について、本願補正発明が「時間軸上に位置づけられる」各期間に「年表として」表示するのに対し、引用発明は、このような特定がない点。
　
（イ）本願補正発明が「前記年表は、相異なる種類の事項を表示する第１および第２の年表を含」み、「前記第１および前記第２の年表」を表示するのに対し、引用発明は、このような特定がない点。
　
　
４　判断  
　  
＜相違点＞（ア）について  
　そもそも時間に関連づけられたけられた事項を「年表」として時系列順に記載することは、広く慣用の手法にすぎないが、特に、時間に関連づけられた事項（画像）を年表軸を用いて表示することも、例えば、周知例２に記載されているように周知技術であって（周知例１（上記２（２））（「複数のサムネイル画像を、年表軸上に最も古い時期から年表軸の進行方向に沿って、画像取得時期の近接度合いに応じた間隔で表示する技術。」）、引用発明において「画像を、所定の表示領域に時系列順に一覧表示する」にあたり、時系列順に表示される一形態として、前記周知技術を用いて、画像を、年表軸を用いて表示することは、当業者が適宜なし得る事項である。
　ここで、年表軸は時間軸ということができ、また、画像を、年表軸を用いて表示することから、年表軸（時間軸）上に位置づけられる期間に対応して画像を配置するということができる。したがって、引用発明に前記周知技術を適用して、「時間軸上に位置づけられる」各期間に係る事項を「年表として」表示することに格別の困難性を有しない。
　
　よって、本願補正発明の＜相違点＞（ア）に係る構成のようにすることは格別なことではない。
　
＜相違点＞（イ）について  
　一般に、年表を表示する場合において、第１の年表に加え、第１の年表と相異なる種類の事項を示す第２の年表を設けることは、周知慣用手段であるから（周知例２（上記２（３））「個人史と社史を、時間軸を挟んで設けること。」）、周知例３（上記２（４））「子供の成長と社会的な出来事を、時間軸を挟んで設けること。」）、本願補正発明にように「前記年表は、相異なる種類の事項を表示する第１および第２の年表を含」み、「前記第１および前記第２の年表」を表示することは当業者が適宜なし得る事項である。
　
　よって、本願補正発明の＜相違点＞（イ）に係る構成のようにすることは格別なことではない。
　
　なお、請求人は、平成２５年３月２１日付けの回答書３．において、
「（前略）
平成２４年５月１５日付（提出日）の手続補正書による補正後の本願請求項１に係る発明（以下、本願発明ともいう）は、 
 （Ａ）時間軸上に位置づけられる各期間に係る事項を年表として表示する方法であって、
 （Ｂ）前記年表は、相異なる種類の事項を表示する第１および第２の年表を含み、 
 （Ｃ）前記第１および前記第２の年表の第１の期間の部分を表示画面の所定領域内に表示するとき、前記第１の期間に対して設定されている第１の音楽を付随情報として再生出力する 
 （Ｄ）方法 
 です。 
（中略）
　一方、引用文献１で再生出力される音楽は、カレンダー上の季節に関連付けられています。カレンダーは通常１つしかありませんから、ここから「異なる種類の事項を２種類の年表として表示する場合に、どのように音楽を再生出力するか」という上記（Ｃ）の構成に対する示唆が得られないことは明らかです。以上より、少なくとも上記の本願発明の構成（Ｃ）は、引用文献１〜４に基づいて容易に想到可能なものではないといえます。
（後略）」
と主張している。
　しかしながら、本願請求項１に記載された、上記（Ｃ）の構成は「（Ｃ）前記第１および前記第２の年表の第１の期間の部分を表示画面の所定領域内に表示するとき、前記第１の期間に対して設定されている第１の音楽を付随情報として再生出力する」ものであって、第２の音楽についての記載はなく、ましてや、第１の年表、若しくは第２の年表に応じて音楽の設定がなされるとの記載はない。
　したがって、請求人の主張は、請求項１の記載に基づかないものであって採用することができない。
　また、本願請求項１に記載された、上記（Ｃ）の「第１の音楽」が、第１の年表に対応して設定されている音楽であるとしても、引用発明に前記周知技術を適用した場合の「ＢＧＭ」は、第１の年表に対応して設定されている音楽ということができ、これに、単に第２の年表を追加すれば、再生される音楽は当然に第１の年表に対する音楽となるものであるから、この点においても格別の困難性を有しない。
　したがって、この点からも請求人の主張を採用することができない。
　
　
　そして、上記相違点を総合的に判断しても、本願補正発明が奏する効果は、引用発明及び周知技術から当業者が十分に予測できたものであって格別なものとはいえない。  
　  
　したがって、本願補正発明は、引用発明及び周知技術に基づいて当業者が容易に発明をすることができたものであるから、特許法第２９条第２項の規定により特許出願の際独立して特許を受けることができない。  
　  
５　本件補正についてのむすび  
　以上のとおり、本件補正は、平成１８年改正前の特許法第１７条の２第５項で準用する同法第１２６条第５項の規定に違反するので、同法第１５９条第１項の規定において読み替えて準用する同法第５３条第１項の規定により却下すべきものである。  
　
　
第３　本願発明について  
　  
１　本願発明  
　平成２４年５月１５日付けの手続補正は上記のとおり却下されたので、本願の請求項に係る発明は、平成２３年９月２２日付けの手続補正で補正された特許請求の範囲の請求項に記載された事項により特定されるものであるところ、請求項１に係る発明（以下「本願発明」という。）は、上記「第２［理由］１　」の本件補正前の「請求項１」として記載したとおりのものである。  
　
２　引用例  
　原査定の拒絶の理由で引用された引用例及びその記載事項は、上記「第２［理由］　２　引用例、周知例及びその記載事項」に記載したとおりである。  
　
３　対比・判断  
　本願発明は、上記「第２」で検討した本願補正発明から、「前記年表は、相異なる種類の事項を表示する第１および第２の年表を含み、」との限定、及び「第１および前記第２の」との限定を削除するものである。  
　そうすると、本願発明の特定事項を全て含み、更に他の特定事項を付加したものに相当する本願補正発明が前記「第２　［理由］　４　判断」に示したとおり、引用発明及び周知技術に基づいて、当業者が容易に発明をすることができたものであるから、本願発明も、同様の理由により、引用発明及び周知技術に基づいて当業者が容易に発明をすることができたものである。  
　
４　むすび  
　以上のとおり、本願発明は、特許法第２９条第２項の規定により特許を受けることができないものであるから、その余の請求項に論及するまでもなく、本願は拒絶すべきものである。  
　
　よって、結論のとおり審決する。